(57)【要約】【課題】  本発明は、容易に輝度の補正を行うことができる表示装置を提供することを課題とする。【解決手段】  表示装置は、矩形状の第１表示領域を有する第１表示部と、前記第１表示領域に隣接する、矩形状の第２表示領域を有する第２表示部と、前記第２表示領域に表示する画像を表す画像信号を補正する補正信号の補正値を、前記第１表示領域及び前記第２表示領域の境界から遠ざかるに従って小さくする信号処理部とを含む。【選択図】図５
2014102282.tif 000002
【特許請求の範囲】
【請求項１】
矩形状の第１表示領域を有する第１表示部と、
前記第１表示領域に隣接する、矩形状の第２表示領域を有する第２表示部と、
前記第２表示領域に表示する画像を表す画像信号の輝度を補正する補正信号の補正値を、前記第１表示領域及び前記第２表示領域の境界から遠ざかるに従って小さくする信号処理部と
を含む、表示装置。
【請求項２】
前記信号処理部は、前記境界から所定の距離の点における前記補正値を零にする、請求項１記載の表示装置。
【請求項３】
前記信号処理部は、前記第２表示領域内の所定の点における前記補正値を、前記境界上の第１の点における前記第１表示領域及び前記第２表示領域の第１輝度差と、前記境界上の第２の点における前記第１表示領域及び前記第２表示領域の第２輝度差とを、前記境界に直角な第１方向における前記境界から前記所定の点までの第１距離と、前記境界に平行な第２方向における前記第１の点又は前記第２の点から前記所定の点までの第２距離とに応じて配分することによって決定する、請求項１又は２記載の表示装置。
【請求項４】
前記信号処理部は、複数の前記所定の点についての複数の補正値を、前記配分することによって求まる値に、乱数を加算又は減算することによって決定する、請求項３記載の表示装置。
【発明の詳細な説明】
【技術分野】
【０００１】
本発明は、表示装置に関する。
【背景技術】
【０００２】
従来から、複数のプラズマディスプレイを集合化してマルチ画面の表示を行うマルチ画面表示装置において、前記複数のプラズマディスプレイのそれぞれにより、映像信号に基づいて自機のＡＰＬ（平均輝度レベル）を測定する測定手段と、前記測定手段で測定された複数のＡＰＬを前記複数のプラズマディスプレイの中の２台単位による比較を繰り返して前記複数のＡＰＬの内で最高値を示すＡＰＬを検出する検出手段と、前記検出手段で検出された前記最高値を示すＡＰＬに基づいて前記複数のプラズマディスプレイのそれぞれの輝度を制御する制御手段を設けたことを特徴とするマルチ画面表示装置があった（例えば、特許文献１参照）。
【先行技術文献】
【特許文献】
【０００３】
【特許文献１】特開２００２−００６８０４号公報
【発明の概要】
【発明が解決しようとする課題】
【０００４】
しかしながら、従来の表示装置では、複数のディスプレイの輝度を制御するための制御手段における制御処理が複雑になるという課題があった。
【０００５】
そこで、本発明は、容易に輝度の補正を行うことができる表示装置を提供することを目的とする。
【課題を解決するための手段】
【０００６】
本発明の一局面の表示装置は、矩形状の第１表示領域を有する第１表示部と、前記第１表示領域に隣接する、矩形状の第２表示領域を有する第２表示部と、前記第２表示領域に表示する画像を表す画像信号を補正する補正信号の補正値を、前記第１表示領域及び前記第２表示領域の境界から遠ざかるに従って小さくする信号処理部とを含む。
【発明の効果】
【０００７】
本発明によれば、容易に輝度の補正を行うことができる表示装置を提供できるという特有の効果が得られる。
【図面の簡単な説明】
【０００８】
【図１】実施の形態１の表示装置を示す図である。
【図２】表示部１０を拡大して示す図であり、表示部１０Ａと表示部１０Ｂとに輝度差が生じた状態を示す図である。
【図３】実施の形態１の表示装置１００の表示部１０において、境界１０Ｃにおける輝度差を測定する手法を示す図である。
【図４】実施の形態１の表示装置１００の点Ａ、Ｂ、Ｃ、Ｄにおける輝度差と、補正係数を示す表形式の図である。
【図５】実施の形態１の表示装置１００において、表示部１０Ｂ内の点Ｐにおける補正係数の算出に必要なパラメータを説明するための図である。
【図６】実施の形態１の表示装置１００において、表示部１０Ｂ内の点Ｐにおける補正係数の算出に必要なパラメータの値を示す表形式の図である。
【図７】実施の形態１の表示装置１００における補正係数ｒａｔｅ＿ＣＯを求める処理の流れを示すフローチャートである。
【図８】実施の形態１の表示装置１００による輝度の補正の効果を示す図である。
【図９】実施の形態２の表示装置において、表示部１０Ｂ内の点Ｐにおける補正係数の算出に必要なパラメータの値を示す表形式の図である。
【図１０】実施の形態２の表示装置における輝度の補正の効果を説明するための図である。
【発明を実施するための形態】
【０００９】
以下、本発明の表示装置を適用した実施の形態について説明する。
【００１０】
＜実施の形態１＞
図１は、実施の形態１の表示装置を示す図である。
【００１１】
図１に示すように、実施の形態１の表示装置１００は、表示部１０、駆動ドライバ２０、３０、及び信号処理装置４０を含む。
【００１２】
表示部１０は、例えば、プラズマディスプレイ、液晶ディスプレイ、又は有機ＥＬディスプレイ等である。表示部１０は、駆動ドライバ２０、３０によって駆動され、信号処理装置４０から出力される画像信号に基づく画像が表示される。
【００１３】
表示部１０は、左半分の表示部１０Ａと、右半分の表示部１０Ｂとの２つの表示部を並べて配置したものである。
【００１４】
駆動ドライバ２０、３０は、表示部１０を駆動する駆動部である。駆動ドライバ２０は、表示部１０の横方向（Ｘ方向）の走査を行い、駆動ドライバ３０は、表示部１０の縦方向（Ｙ方向）の走査を行う。
【００１５】
信号処理装置４０は、表示部１０に表示させるための画像信号（映像信号）を画像データに基づいて生成し、駆動ドライバ２０、３０を介して、表示部１０に表示させる。
【００１６】
このような実施の形態１の表示装置１００において、表示部１０は、左半分の表示部１０Ａと、右半分の表示部１０Ｂとの２つの表示部を並べて配置しているため、表示部１０Ａと表示部１０Ｂとの境界では、輝度に差が生じる可能性がある。左半分の表示部１０Ａと、右半分の表示部１０Ｂとは、別々に製造した２つの表示部の間隔を詰めて隣り合わせで配置しただけでもよいし、又は、１つの表示部を分割して製造したものであってもよい。
【００１７】
実施の形態１の表示装置１００は、信号処理装置４０により、表示部１０Ａと１０Ｂとに生じる輝度差を補正する。
【００１８】
図２は、表示部１０を拡大して示す図であり、表示部１０Ａと表示部１０Ｂとに輝度差が生じた状態を示す図である。なお、図２では、表示部１０の左上の角を原点とするＸＹ座標を定義する。このＸＹ座標では、右方向にＸ軸正方向を取り、下方向にＹ軸正方向を取る。
【００１９】
また、ここでは、一例として、表示部１０Ａよりも表示部１０Ｂの方が輝度が高い場合を示す。このように表示部１０Ａよりも表示部１０Ｂの方が輝度が高いと、表示部１０Ａと１０Ｂの境界１０Ｃを境として、左右に輝度差が生じる。
【００２０】
なお、図２において、境界１０Ｃは、表示部１０の左半分である表示部１０Ａと、表示部１０の右半分である表示部１０Ｂとの境界であり、境界１０Ｃは、表示部１０のＸ軸方向の中央において、Ｙ軸方向に延在する。
【００２１】
表示部１０Ａと表示部１０Ｂとの間に輝度差が存在し、輝度差の補正を行っていない状態では、図２に示すように、表示部１０Ａと表示部１０Ｂとの境界１０Ｃの左右の表示に輝度むらが生じることになる。
【００２２】
次に、図３を用いて、境界１０Ｃにおける輝度差の測定について説明する。
【００２３】
図３は、実施の形態１の表示装置１００の表示部１０において、境界１０Ｃにおける輝度差を測定する手法を示す図である。図３では、図２と同様に、表示部１０の左上の角を原点（０，０）とするＸＹ座標を定義する。このＸＹ座標では、右方向にＸ軸正方向を取り、下方向にＹ軸正方向を取る。
【００２４】
また、表示部１０は、７６８０ピクセル（Ｘ軸方向）×４３２０ピクセル（Ｙ軸方向）のサイズを有するものとする。表示部１０における座標は、ピクセルの数で示すこととする。
【００２５】
実施の形態１の表示装置１００では、図３に示すように、境界１０Ｃ上に位置する４つの点Ａ、Ｂ、Ｃ、Ｄにおける輝度差を測定する。点Ａ、Ｂ、Ｃ、Ｄの座標は、それぞれ、（３８４０，１０００）、（３８４０，１５００）、（３８４０，２０００）、（３８４０，２５００）である。なお、輝度差を測定する点Ａ、Ｂ、Ｃ、Ｄを測定点Ａ、Ｂ、Ｃ、Ｄと称する場合がある。
【００２６】
点Ａ、Ｂ、Ｃ、Ｄにおける輝度差は、各点よりも１００ピクセルＸ軸負方向側の点Ａ１、Ｂ１、Ｃ１、Ｄ１の輝度と、各点よりも１００ピクセルＸ軸正方向側の点Ａ２、Ｂ２、Ｃ２、Ｄ２の輝度との差をそれぞれ求めることによって測定した。
【００２７】
また、点Ａ１、Ｂ１、Ｃ１、Ｄ１、Ａ２、Ｂ２、Ｃ２、Ｄ２における輝度は、それぞれ、点Ａ１、Ｂ１、Ｃ１、Ｄ１、Ａ２、Ｂ２、Ｃ２、Ｄ２を中心として存在する約１２０ピクセルで得られる輝度である。実際の測定から得られた輝度差を図４に示す。
【００２８】
図４は、実施の形態１の表示装置１００の点Ａ、Ｂ、Ｃ、Ｄにおける輝度差と、補正係数を示す表形式の図である。
【００２９】
図４に示すように、点Ａ、Ｂ、Ｃ、Ｄにおける輝度差は、それぞれ、１％、２％、２％、１％であった。なお、輝度差は、表示部１０Ａよりも表示部１０Ｂの輝度が高い場合に正の値で示すこととする。
【００３０】
また、補正係数は、各点における輝度差を補正するために、表示部１０Ａと表示部１０Ｂとのうち、輝度が高い方の表示部の画像信号に乗じる係数である。このため、補正係数は、１００％−輝度差（％）で得ることができる。このため、点Ａ、Ｂ、Ｃ、Ｄにおける補正係数は、それぞれ、０．９９、０．９８、０．９８、０．９９である。
【００３１】
次に、図５を用いて、実施の形態１の表示装置１００において、表示部１０Ｂ内の任意の点Ｐ（Ｘ，Ｙ）（３８４０≦Ｘ≦７６８０、０≦Ｙ≦４３２０）における画像信号を補正するための補正係数の求め方について説明する。
【００３２】
図５は、実施の形態１の表示装置１００において、表示部１０Ｂ内の点Ｐにおける補正係数の算出に必要なパラメータを説明するための図である。図６は、実施の形態１の表示装置１００において、表示部１０Ｂ内の点Ｐにおける補正係数の算出に必要なパラメータの値を示す表形式の図である。
【００３３】
図５には、境界１０Ｃ上の点Ａ、Ｂ、表示部１０の上辺（Ｙ＝０で表される辺）、及び点Ｐ（Ｘ，Ｙ）を示す。
【００３４】
実施の形態１では、表示部１０Ａと１０Ｂの輝度差は（Ｘ軸方向において）境界１０Ｃの近くでは認識されやすいが、境界１０ＣよりもＸ軸方向に比較的離れた位置では輝度差が認識されにくくなるという実情を利用して、表示部１０Ａよりも輝度の高い表示部１０Ｂについて、境界１０Ｃの近くでは輝度の補正を行い、境界１０ＣよりもＸ軸正方向側に離れた位置では輝度の補正を行わないこととする。
【００３５】
また、この際に、表示部１０Ｂについては、境界１０Ｃから離れるに連れて補正値を小さくし、境界１０Ｃからある程度離れた点では補正値をゼロ（０）にする。すなわち、補正値は、境界１０Ｃから遠ざかるに従って小さくされている。ここで、補正値とは、補正係数によって補正が行われる度合を示す値である。
【００３６】
すなわち、実施の形態１の表示装置１００では、表示部１０Ｂについては、境界１０Ｃに近い側から遠い側にかけて補正値をＸ軸方向において徐々に変化させて、境界１０Ｃからある程度離れた点では、補正係数を１にすることによって補正値をゼロ（０）にする。
【００３７】
また、実施の形態１の表示装置１００では、Ｙ軸方向における輝度のばらつきがあることを考慮して、Ｙ軸方向においては、隣り合う測定点（点Ａ〜Ｄ）で得られた補正係数の調整を行う。
【００３８】
このような輝度の補正を行うために、実施の形態１の表示装置１００では、図５及び図６に示すｌｅｎ＿Ｘ、ｌｅｎ＿Ｙ、Ｘａ、Ｙａを用いる。
【００３９】
ここで、実施の形態１の表示装置１００では、４つの測定点Ａ〜Ｄを用いるとともに、表示部１０ＢをＹ軸方向に５つの領域に分けて点Ｐの補正係数を求める。表示部１０Ｂは、０＜Ｙ≦１０００（測定点Ａよりも上側）、１０００＜Ｙ≦１５００（測定点Ａ、Ｂの間）、１５００＜Ｙ≦２５００（測定点Ｂ、Ｃの間）、２５００＜Ｙ≦３０００（測定点Ｃ、Ｄの間）、及び、３０００＜Ｙ≦４３２０（測定点Ｄよりも下側）の５つの領域に分けられる。
【００４０】
長さｌｅｎ＿Ｘは、点Ｐから境界１０ＣまでのＸ軸方向の長さである。このため、長さｌｅｎ＿Ｘは、図６に示すように、Ｙ座標によらずに常に４３２０−Ｘである。
【００４１】
長さｌｅｎ＿Ｙは、５つの領域の各々において、点Ｐから、点ＰよりもＹ軸負方向側（原点側）の領域同士の境界までの長さである。このため、長さｌｅｎ＿Ｙは、表示部１０Ｂの上側から下側の５つの領域において、それぞれ、Ｙ、Ｙ−１０００、Ｙ−１５００、Ｙ−２５００、Ｙ−３０００である。
【００４２】
Ｘａは、Ｘ軸方向において補正を行う範囲（Ｘ軸方向の長さ）を示しており、境界１０ＣからのＸ軸方向の長さとして表される。このため、Ｘａは、表示部１０Ｂの上側から下側の５つの領域において、それぞれ、４００である。
【００４３】
Ｙａは、表示部１０Ｂの上側から下側の５つの領域における、Ｙ軸方向の範囲（Ｙ軸方向の長さ）を示す。このため、Ｙａは、表示部１０Ｂの上側から下側の５つの領域において、それぞれ、１０００、５００、１０００、５００、１３２０である。
【００４４】
また、実施の形態１の表示装置１００では、輝度の補正を行うために、２つのパラメータｒａｔｅ１、ｒａｔｅ２を示す。パラメータｒａｔｅ１、ｒａｔｅ２は、上述の５つの領域によって異なる。
【００４５】
パラメータｒａｔｅ１の値は、測定点Ａ〜Ｄで得られた補正値のうち、表示部１０Ｂの上側から下側の５つの領域において、Ｙ軸負方向側に位置する測定点の補正値を表す。なお、表示部１０Ｂの５つの領域のうち、最も上側の領域では、Ｙ軸負方向側に測定点が存在しないため、パラメータｒａｔｅ１の値は、０である。
【００４６】
以上より、パラメータｒａｔｅ１の値は、図６に示すように、表示部１０Ｂの上側から下側の５つの領域において、それぞれ、０、０．０１、０．０２、０．０２、０．０１である。
【００４７】
また、パラメータｒａｔｅ２の値は、測定点Ａ〜Ｄで得られた補正値のうち、表示部１０Ｂの上側から下側の５つの領域において、Ｙ軸正方向側に位置する測定点の補正値を表す。なお、表示部１０Ｂの５つの領域のうち、最も下側の領域では、Ｙ軸正方向側に測定点が存在しないため、パラメータｒａｔｅ２の値は、０である。
【００４８】
以上より、パラメータｒａｔｅ２の値は、図６に示すように、表示部１０Ｂの上側から下側の５つの領域において、それぞれ、０．０１、０．０２、０．０２、０．０１、０である。
【００４９】
次に、点Ｐにおける補正係数ｒａｔｅ＿ＣＯを求める計算式について説明する。
【００５０】
点Ｐにおける補正係数ｒａｔｅ＿ＣＯは、次式（１）で求まる。ただし、３８４０≦Ｘ≦４２４０である。
【００５１】
【数１】
2014102282.tif 000003
式（１）は、ｒａｔｅ１からｒａｔｅ２を引いて得る値（ｒａｔｅ１−ｒａｔｅ２）に、ｌｅｎ＿ＹとＹａの比（ｌｅｎ＿Ｙ／Ｙａ）を乗じた値（ｒａｔｅ１−ｒａｔｅ２）×（ｌｅｎ＿Ｙ／Ｙａ）をｒａｔｅ１から引いた値｛ｒａｔｅ１−（ｒａｔｅ１−ｒａｔｅ２）×（ｌｅｎ＿Ｙ／Ｙａ）｝を求めている。これにより、輝度の補正値をＹ軸方向に配分（按分）している。
【００５２】
また、式（１）は、さらに、上述の値｛ｒａｔｅ１−（ｒａｔｅ１−ｒａｔｅ２）×（ｌｅｎ＿Ｙ／Ｙａ）｝にｌｅｎ＿ＸとＸａの比（ｌｅｎ＿Ｘ／Ｘａ）を乗じた値｛ｒａｔｅ１−（ｒａｔｅ１−ｒａｔｅ２）×（ｌｅｎ＿Ｙ／Ｙａ）｝×（ｌｅｎ＿Ｘ／Ｘａ）を１から引いている。これにより、輝度の補正値をＸ軸方向に配分（按分）している。
【００５３】
以上のように、式（１）により、表示部１０Ｂの上側から下側の５つの領域において、それぞれ、点Ｐ（Ｘ，Ｙ）の座標に応じて、補正値をＸ軸方向及びＹ軸方向に配分することにより、点Ｐ（Ｘ，Ｙ）における補正係数ｒａｔｅ＿ＣＯを求める。
【００５４】
このような処理は、信号処理装置４０が行う。
【００５５】
そして、信号処理装置４０は、式（１）で求めた補正係数ｒａｔｅ＿ＣＯを画像信号に乗じることによって、表示部１０Ｂに出力する画像信号の値を補正する。このような補正は、次式（２）を用いて行われる。
【００５６】
【数２】
2014102282.tif 000004
式（２）で得られる出力信号Ｏｕｔｐｕｔ＿ｄａｔａは、式（１）で求めた補正係数ｒａｔｅ＿ＣＯを画像信号Ｉｎｐｕｔ＿ｄａｔａに乗じることによって得る、補正後の画像信号の値を示す。画像信号Ｉｎｐｕｔ＿ｄａｔａは、点Ｐ（Ｘ，Ｙ）における画像信号であり、補正前の入力データである。出力信号Ｏｕｔｐｕｔ＿ｄａｔａは、補正後の出力データである。
【００５７】
なお、図５に破線で囲まれる範囲は、式（１）において、Ｘ、Ｙが取り得る値の範囲を表したものであり、式（１）による補正が行われる範囲を表したものである。
【００５８】
上述のような点Ｐ（Ｘ，Ｙ）についての補正係数ｒａｔｅ＿ＣＯは、図７に示す流れで求められる。
【００５９】
図７は、実施の形態１の表示装置１００における補正係数ｒａｔｅ＿ＣＯを求める処理の流れを示すフローチャートである。なお、このフローによる処理が行われる前に、点Ａ〜Ｄにおける輝度差は測定されていることとする。
【００６０】
信号処理装置４０は、まず、入力データ（画像信号Ｉｎｐｕｔ＿ｄａｔａ）の位置座標により、図６に示す各パラメータを取得する（ステップＳ１）。
【００６１】
次に、信号処理装置４０は、式（１）と各パラメータより、補正係数ｒａｔｅ＿ＣＯを求める（ステップＳ２）。
【００６２】
最後に、信号処理装置４０は、式（２）と補正係数ｒａｔｅ＿ＣＯより、出力データＯｕｔｐｕｔ＿ｄａｔａを求める（ステップＳ３）。
【００６３】
信号処理装置４０は、以上のような処理をすべての点Ｐ（Ｘ，Ｙ）について行う。
【００６４】
なお、補正係数ｒａｔｅ＿ＣＯと出力データＯｕｔｐｕｔ＿ｄａｔａの計算は、Ｘ軸方向及びＹ軸方向において１ピクセル毎に行ってもよいが、より少ない計算量で輝度の補正を行うためには、所定のピクセル毎に補正係数ｒａｔｅ＿ＣＯを求めてもよい。
【００６５】
例えば、８ｂｉｔの階調で表示部１０全体の表示を行う場合には、境界１０Ｃ（Ｘ＝３８４０）からＸ＝４２４０の４００ピクセルの範囲（補正を行う範囲）に含まれる階調数に対応するピクセル毎に補正係数ｒａｔｅ＿ＣＯを求めればよい。
【００６６】
次に、図８を用いて、実施の形態１の表示装置１００における輝度の補正の効果について説明する。
【００６７】
図８は、実施の形態１の表示装置１００による輝度の補正の効果を示す図である。
【００６８】
図８において、横軸は表示部１０の横方向（Ｘ軸方向）を表し、縦軸は出力データＯｕｔｐｕｔ＿ｄａｔａによって表示部１０で得られる輝度を示す。横軸の単位はピクセルであり、縦軸の単位は任意単位である。
【００６９】
図８には、Ｘ軸方向において、境界１０Ｃ（Ｘ＝３８４０）からＸ＝４２４０の４００ピクセルの範囲（補正を行う範囲）を３段階に分けて補正を行った結果を示す。図８において、実線は補正後の輝度であり、破線は補正前の輝度を表す。図８に示す輝度は、一例として、表示部１０の点Ａを通るＹ軸方向の位置におけるＸ軸方向の輝度の分布を示す。
【００７０】
図８に示すように、補正前は、破線で示すように境界１０Ｃ（Ｘ＝３８４０）を境に、左右で表示部１０Ａと１０Ｂの輝度差が生じるため、輝度が急激に変化している。
【００７１】
これに対して、補正後は、実線で示すように境界１０Ｃ（Ｘ＝３８４０）の右側にある表示部１０Ｂにおいて、輝度が緩やかな３段のステップ状に変化しており、Ｘ＝４２４０の点で補正前の輝度と等しくなっている。
【００７２】
このように、実施の形態１の表示装置１００では、境界１０ＣがあるＸ＝３８４０からＸ＝４２４０までの４００ピクセルの範囲にわたって、輝度が緩やかにステップ状に変化するように補正されている。
【００７３】
このようなステップにおける輝度差を人間の視覚で認識できない程度の輝度差に設定すれば、図８に示すようにステップ状に輝度を補正しても、境界１０Ｃ（Ｘ＝３８４０）からＸ＝４２４０の点までの輝度の変化を人間の視覚が認識することはできなくなるので、表示部１０Ａと１０Ｂの輝度差を容易に補正することができる。
【００７４】
なお、表示部１０ＢのＸ＝４２４０よりも外側（Ｘ軸正方向側）の領域では、輝度の補正を行っていないが、境界１０Ｃにおける表示部１０Ａと１０Ｂの輝度差をＸ＝３８４０〜４２４０の４００ピクセルの範囲にわたって段階的に補正しているため、人間の視覚では、表示部１０Ａと、表示部１０ＢのうちＸ＝４２４０よりＸ軸正方向側の領域との間に輝度差があることを認識することは困難になる。
【００７５】
以上より、実施の形態１によれば、相隣接し人間の視覚で認識できる程度の輝度差のある表示部１０Ａと１０Ｂのうち、輝度差の高い表示部１０Ｂの輝度を低下させるように、容易な手法によって補正を行うことのできる表示装置１００を提供することができる。
【００７６】
プラズマディスプレイ、液晶ディスプレイ、有機ＥＬディスプレイ等で、特に大画面の表示用の装置を製造する場合には、製造過程において、製作装置の精度などにより、画面に輝度むらができることがある。
【００７７】
緩やかな輝度むらであれば、視覚的にそれほど目立たないが、表示部１０Ａと１０Ｂの合わせ目のような部位で急激に輝度が変化する場合には、非常に目につきやすく、著しい画質劣化を引き起こしてしまう。
【００７８】
このため、表示装置１００において、輝度むらを補正する信号処理装置４０を導入することで、上述のように容易な手法によって補正を行うことにより、画質劣化を抑制することが可能である。
【００７９】
例えば、すべての画素において補正量を正確に演算することは、非常に難しく手間がかかる。すべての画素の明るさが同じになるように画素値に対して補正係数を掛けることで、均一な明るさにすることが可能であるが、補正係数を取得することが非常に困難である上に、補正のために演算量が増えるため多大なフレームメモリが必要となる。
【００８０】
これに対して、実施の形態１の表示装置１００は、すべての画素において補正値を正確に算出しなくても、輝度むらによる画質劣化を抑制することができる。
【００８１】
＜実施の形態２＞
実施の形態２の表示装置は、実施の形態１の表示装置１００で用いるパラメータのうちの長さｌｅｎ＿Ｘと長さｌｅｎ＿Ｙの値を求める工程において、点Ｐ（Ｘ，Ｙ）の座標（Ｘ，Ｙ）の座標値によって値がランダムに異なる乱数を減算する点が実施の形態１の表示装置１００と異なる。その他の構成は実施の形態１の表示装置１００と同様であるため、同一の構成要素には同一符号を付し、その説明を省略する。
【００８２】
図９は、実施の形態２の表示装置において、表示部１０Ｂ内の点Ｐにおける補正係数の算出に必要なパラメータの値を示す表形式の図である。図９に示すパラメータのうち、Ｘａ、Ｙａ、ｒａｔｅ１、ｒａｔｅ２の値は図６に示す値と同一であるため、説明を省略する。
【００８３】
実施の形態２では、乱数ｔｘ、ｔｙを用いる。乱数ｔｘ、ｔｙは、それぞれ、Ｘ軸方向及びＹ軸方向用の乱数であり、０から９９のうちのいずれかの整数を取る。乱数ｔｘ、ｔｙの値の生成は、周知の乱数生成用のアルゴリズム等に従って行えばよい。実施の形態２では、例えば、信号処理装置４０に乱数生成用の機能を持たせればよい。
【００８４】
実施の形態２の表示装置では、長さｌｅｎ＿Ｘは、点Ｐから境界１０ＣまでのＸ軸方向の長さから、乱数ｔｘを減じて得られる長さである。このため、長さｌｅｎ＿Ｘは、４３２０−Ｘ−ｔｘである。
【００８５】
実施の形態２の表示装置では、長さｌｅｎ＿Ｙは、５つの領域の各々において、点Ｐから、点ＰよりもＹ軸負方向側（原点側）の領域同士の境界までの長さから、乱数ｔｙを減じて得る長さである。このため、長さｌｅｎ＿Ｙは、表示部１０Ｂの上側から下側の５つの領域において、それぞれ、Ｙ−ｔｙ、Ｙ−１０００−ｔｙ、Ｙ−１５００−ｔｙ、Ｙ−２５００−ｔｙ、Ｙ−３０００−ｔｙである。
【００８６】
なお、表示部１０Ｂのうち、実施の形態２の表示装置によって輝度の補正が行われる点Ｐ（Ｘ，Ｙ）についてのＸ軸方向及びＹ軸方向用の乱数ｔｘ、ｔｙの値は、同一の値であってもよいが、互いに異なる値であることが好ましい。従って、点Ｐ（Ｘ，Ｙ）について乱数ｔｘ、ｔｙを求める際には、乱数ｔｘと乱数ｔｙとを別々に求めればよい。
【００８７】
以上のようにして乱数ｔｘ、ｔｙを用いて求めた長さｌｅｎ＿Ｘ、長さｌｅｎ＿Ｙを実施の形態１と同様に式（１）に代入して補正係数ｒａｔｅ＿ＣＯを求める。
【００８８】
そして、式（１）で求めた補正係数ｒａｔｅ＿ＣＯを画像信号に乗じることによって、表示部１０Ｂに出力する画像信号の値を補正する。このような補正は、実施の形態１と同様に、次式（２）を用いて行えばよい。
【００８９】
式（２）で得られる出力信号Ｏｕｔｐｕｔ＿ｄａｔａは、式（１）で求めた補正係数ｒａｔｅ＿ＣＯを画像信号Ｉｎｐｕｔ＿ｄａｔａに乗じることによって得る、補正後の画像信号の値を示す。画像信号Ｉｎｐｕｔ＿ｄａｔａは、点Ｐ（Ｘ，Ｙ）における画像信号であり、補正前の入力データである。出力信号Ｏｕｔｐｕｔ＿ｄａｔａは、補正後の出力データである。
【００９０】
以上により、実施の形態２の表示装置によれば、乱数を用いて長さｌｅｎ＿Ｘと長さｌｅｎ＿Ｙを算出することによって補正係数ｒａｔｅ＿ＣＯを求め、出力信号Ｏｕｔｐｕｔ＿ｄａｔａを得る。
【００９１】
ここで、図１０を用いて、実施の形態２の表示装置における輝度の補正の効果について説明する。
【００９２】
図１０は、実施の形態２の表示装置における輝度の補正の効果を説明するための図である。図１０（Ａ）には乱数を用いずに輝度の補正を行った場合の画像を示し、図１０（Ｂ）には乱数を用いて補正を行った場合の画像を示す。また、図１０（Ａ）、（Ｂ）には、表示部１０（１０Ａ、１０Ｂ）のうち、Ｘ軸方向については、境界１０Ｃの近くの部分のみを示す。
【００９３】
例えば、乱数を用いない状態において、グラデーションを示す画像が図１０（Ａ）に示すように、階段状に示されているとする。図１０（Ａ）において、濃い色で示す部分は輝度が低い部分であり、薄い色で示す部分は輝度が高い部分である。
【００９４】
図１０（Ａ）に示すようにグラデーションが階段状に表示されることは、例えば、階調数が少ない場合に生じる可能性がある。このような現象は、特に、階調数が８ｂｉｔ程度以下の場合に、生じる可能性がある。
【００９５】
一方、乱数を用いた場合は、図１０（Ｂ）に示すように、階調数が少ない場合でも、グラデーションが自然に表示される。
【００９６】
このように、実施の形態２によれば、相隣接し人間の視覚で認識できる程度の輝度差のある表示部１０Ａと１０Ｂのうち、輝度差の高い表示部１０Ｂの輝度を低下させるように、容易な手法によって補正を行うことのできる表示装置を提供することができる。
【００９７】
また、乱数を用いて補正係数ｒａｔｅ＿ＣＯを算出することにより、より自然な画像を表示することができる表示装置を提供することができる。
【００９８】
なお、以上では、乱数を用いて長さｌｅｎ＿Ｘと長さｌｅｎ＿Ｙを算出する形態について説明したが、乱数を減算することによってパラメータｒａｔｅ１、ｒａｔｅ２の値を算出するようにしてもよい。このような場合にも、乱数を用いて補正係数ｒａｔｅ＿ＣＯの値に不規則性を持たせることができ、より自然な画像を表示することができる表示装置を提供することができる。
【００９９】
また、以上では、乱数を減算することによって長さｌｅｎ＿Ｘと長さｌｅｎ＿Ｙを算出する形態について説明したが、乱数を加算することによって長さｌｅｎ＿Ｘと長さｌｅｎ＿Ｙを算出してもよい。
【０１００】
以上、本発明の例示的な実施の形態の表示装置について説明したが、本発明は、具体的に開示された実施の形態に限定されるものではなく、特許請求の範囲から逸脱することなく、種々の変形や変更が可能である。
【符号の説明】
【０１０１】
１００  表示装置
１０  表示部
１０Ａ、１０Ｂ  表示部
１０Ｃ  境界
２０、３０  駆動ドライバ
４０  信号処理装置
【図４】
2014102282.tif 000005
【図５】
2014102282.tif 000006
【図６】
2014102282.tif 000007
【図７】
2014102282.tif 000008
【図８】
2014102282.tif 000009
【図９】
2014102282.tif 000010
【図１】
2014102282.tif 000011
【図２】
2014102282.tif 000012
【図３】
2014102282.tif 000013
【図１０】
2014102282.tif 000014